(57)【特許請求の範囲】
【請求項１】
扁平形状の商品見本を展示する商品見本展示部と、
透明な材料で長尺形状に形成されるとともにその長手方向の軸を中心として前記商品見本展示部内に回動可能に配置され、前記商品見本を保持する商品見本保持部材と、
この商品見本保持部材を、前記商品見本の表示面が前記商品見本展示部の正面を向く位置となる商品見本展示位置と、この商品見本展示位置に対して前記軸を中心に略９０度回動する位置となる表示部開放位置とに回動させる駆動手段と、
前記商品見本展示部の内面であって、前記商品見本保持部材より後方の面に形成された表示部と
を具備していることを特徴とする動販売機。
【請求項２】
前記商品見本保持部材は、前記表示部開放位置に回動した後、前記表品見本展示部の一側、または両側、または上下に移動する
ことを特徴とする請求項１記載の自動販売機。
【発明の詳細な説明】
【０００１】
【発明の属する技術分野】
本発明は、商品見本を展示する商品見本展示部を有する自動販売機に関する。
【０００２】
【従来の技術】
従来、例えば、持開平１０−２６１１５９号公報に記載されている自動販売機では、機体の前面上部側に商品見本展示部が配置され、機体の前面下部側にポスターなどの広告が表示される広告表示部が配置され、機体の前面上部側で商品見本展示部の一側に貨幣を投入したり返却指示などをする操作部が配置され、機体の前面下部側で広告表示部の一側に販売される商品が払い出される商品取出口が配置されている。
【０００３】
商品見本展示部には、複数段の見本展示棚を固定的に設け、各見本展示棚に、複数の商品選択ボタンを等間隔に設けるとともに、各商品選択ボタンの位置に対応して商品見本をそれぞれ配置している。
【０００４】
【発明が解決しようとする課題】
ところで、自動販売機において、商品広告機能を持たせたいという要望がある。
【０００５】
しかし、従来の自動販売機では、商品見本展示部に複数段の見本展示棚、および商品見本を配置するため、広告表示部は、商品見本展示部以外の扉体の一部に限定されており、より広告機能の高い自動販売機が望まれている。
【０００６】
また、見本展示棚の後方に広告などを表示しても、見本展示棚、商品見本が邪魔となり、後方の広告の視認性が低いという問題がある。特に、見本展示棚に商品選択ボタンを設ける必要性から、見本展示棚はある程度以上の幅を有する必要があり、後方の広告の視認性低下の要因となっている。
【０００７】
本発明は、このような点に鑑みなされたもので、商品見本を展示する商品見本展示部の内面を表示部として利用するとともに、その表示部の視認性を確保し、訴求効果を向上できる自動販売機を提供することを目的とする。
【０００８】
【課題を解決するための手段】
請求項１記載の自動販売機は、扁平形状の商品見本を展示する商品見本展示部と、透明な材料で長尺形状に形成されるとともにその長手方向の軸を中心として前記商品見本展示部内に回動可能に配置され、前記商品見本を保持する商品見本保持部材と、この商品見本保持部材を、前記商品見本の表示面が前記商品見本展示部の正面を向く位置となる商品見本展示位置と、この商品見本展示位置に対して前記軸を中心に略９０度回動する位置となる表示部開放位置とに回動させる駆動手段と、前記商品見本展示部の内面であって、前記商品見本保持部材より後方の面に形成された表示部とを具備しているものである。
【０００９】
請求項２記載の自動販売機は、請求項１記載の自動販売機において、前記商品見本保持部材は、前記表示部開放位置に回動した後、前記表品見本展示部の一側、または両側、または上下に移動するものである。
【００１０】
【発明の実施の形態】
以下、本発明の一実施の形態を図面を参照して説明する。
【００１１】
図２に自動販売機の正面図を示し、自動販売機の機体11は、前面を開口した箱形の本体12、およびこの本体12の一側（図２中左側）を軸として回動可能に取り付けられて本体12の前面を開閉する扉体（外扉）13を有している。
【００１２】
扉体13の前面には、右寄り位置に操作部21が集約して配置されるとともにこの操作部21の下方に硬貨返却口22が配置され、中央下方位置に商品取出口23が配置され、これら操作部21、硬貨返却口22および商品取出口23を除く扉体13の略全域の広い範囲にわたって商品見本展示部24が形成されている。
【００１３】
商品見本展示部24は、扉体13に形成された開口部26に例えば透明なアクリル板などの透明板27を嵌め込んで構成されている。商品見本展示部24内には、縦方向に長尺形状の複数（本実施の形態では４つ）の商品見本保持部材28が横方向に等間隔に配列され、これら各商品見本保持部材28には縦方向に沿って複数（本実施の形態では４つ）の商品見本保持具29が取り付けられ、これら各商品見本保持具29に商品見本30がそれぞれ保持されている。各商品見本保持具29には、商品見本30を識別するための商品ＩＤとして本実施の形態では商品番号が表示された商品ＩＤ表示部（商品番号表示部）31が設けられている。
【００１４】
商品見本展示部24の内面、すなわち商品見本保持部材28より後方の後面は、例えば、広告などのポスターなどを貼り付けて表示する表示部32が形成されている。
【００１５】
操作部21には、テンキー、訂正キーおよび決定キーなどの各種キーを集中配置した商品選択手段としてのキー部34、紙幣を挿入する紙幣投入口35、硬貨を投入する硬貨投入口36、および紙幣や硬貨の返却を指示する返却レバー37、投入金額や残余額などの金額やキー部34で選択される商品番号を表示する情報表示部38が配置されている。
【００１６】
なお、本体12の内部には、種類別に商品を収納するとともに収納された商品を投出する図示しない商品コラムが配置されている。この各商品コラムから投出される商品は、図示しない商品シュートを介して商品取出口23へ案内される。
【００１７】
また、扉体13の内部には、紙幣投入口35および硬貨投入口36から投入される紙幣や硬貨などの貨幣を受け入れて処理するとともに釣銭などを硬貨返却口22に払い出す貨幣処理部（図５に示す）が配置されている。
【００１８】
次に、図３に自動販売機の商品見本保持部材28を示し、(a)は斜視図、(b)は斜め上方から見る側面図である。
【００１９】
商品見本保持部材28は、縦方向に長尺の平板で、例えばアクリルなどの透明樹脂製とされており、幅広面41および幅狭面42を有し、幅広面41には各商品見本保持具29の取付位置に対応して複数の係止孔43が形成されている。
【００２０】
商品見本保持具29は、例えばアクリルなどの透明樹脂製であって、箱形状の保持具本体44を有し、この保持具本体44には上面に開口する有底の保持溝45が形成されているとともに、保持具本体44の背面には商品見本保持部材28の各係止孔43に差し込み係止される複数の係止片46が一体に形成されている。保持具本体44の保持溝45には、商品見本30の下部側が上方から差し込まれて保持される。
【００２１】
商品見本30は、扁平形状の板体47を有し、この板体47には、大きな面としての幅広面48および小さな面としての幅狭面49が形成されている。板体47の一方の幅広面48は、商品見本の図柄などが印刷されたり、商品見本シールが貼り付けられた商品見本表示面50とされている。板体47の素材は、金属などでもよいが、重量や加工性などを考慮すれば樹脂が好ましい。
【００２２】
そして、商品見本保持部材28は、図１(a)に示すように、商品見本30の商品見本表示面50が商品見本展示部24の正面を向く位置つまり商品見本展示位置と、図１(b)に示すように、商品見本保持部材28の長手方向に対応する縦軸を中心に略９０度回動して、商品見本30の商品見本表示面50が商品見本展示部24の側面を向く位置つまり表示部開放位置とに回動可能とされている。なお、図１には商品見本保持部材28が８つの場合の例を示している。
【００２３】
次に、図４に自動販売機の商品見本保持部材28および駆動手段54の斜視図を示す。
【００２４】
商品見本保持部材28の上端において、駆動手段54により、商品見本保持部材28が商品見本展示位置と表示部開放位置との略９０度の範囲で反転回動駆動される。この駆動手段54は、商品見本展示部24の上部両側域にそれぞれ配設される駆動機構55を有し（なお、図には一側の駆動機構55のみを示すが、他側の駆動機構55も同様に構成されている）、この駆動機構55のモータ56の駆動軸57に円板58が固定されているとともにこの円板58から２本の支持ロッド59が立設されている。両側の駆動機構55の各円板58の対応する各支持ロッド59に２本の各ワイヤ60の両端がそれぞれ連結されて張設されている。
【００２５】
各商品見本保持部材28の上端には止め具61が固定され、この止め具61の上面に２本の連結ロッド62が立設され、各連結ロッド62が各ワイヤ60の中間部に連結されている。
【００２６】
そして、各駆動機構55のモータ56の回動により円板58が回動し、一方の支持ロッド59が商品見本展示部24の一側（または他側）に、他方の支持ロッド59が商品見本展示部24の他側（または一側）に相対的に移動して、各ワイヤ60が互いに反対方向に移動することにより、商品見本保持部材28が商品見本展示位置と表示部開放位置とに回動される。
【００２７】
円板58の周縁には検知片63が突設され、商品見本保持部材28が商品見本展示位置と表示部開放位置とに回動した位置で検知片63を検知する位置検知センサ64，65が配設され、これら位置検知センサ64，65による検知に基づいてモータ56の駆動が停止制御される。
【００２８】
商品見本保持部材28の下端は、商品見本保持部材28の回動中心に設けられた図示しない軸により回動可能に軸支されている。なお、商品見本保持部材28が樹脂などで軽量化されていれば、下端部を軸支せず、上端部のみで吊り下げ支持することもできる。
【００２９】
次に、図５に自動販売機のブロック図を示す。
【００３０】
自動販売機を制御する制御部71には、入力部72、情報表示部38、貨幣処理部73、駆動手段54、商品投出手段74、リモコン端末75、および人体検知手段76などが接続されている。
【００３１】
入力部72は、キー部34の各種のキーを含み、これらキー操作による信号が制御部71に入力される。情報表示部38は、制御部71によって表示動作が制御される。貨幣処理部73は、投入貨幣を処理して投入金額データを制御部71に送るとともに制御部71の制御で精算時の返却処理がなされる。駆動手段54は、各モータ56が制御部71で制御され、位置検知センサ64，65からの信号が制御部71に入力される。商品投出手段74は、各商品コラム毎に設けられ、制御部71の制御によって商品コラムに収納された商品を投出する。リモコン端末75は、自動販売機の内部に設けられており、商品を収納する商品コラムや価格の設定、販売取引内容の確認などのため、管理者によって操作される。人体検知手段76は、自動販売機の扉体13の正面などに配設される人体検知センサにより、自動販売機の正面領域への人体の接近を検知する。
【００３２】
そして、制御部71は、各種の時間を計時する計時手段（タイマ）の機能、計時手段からの信号により、駆動手段54の動作を制御する機能を有している。計時手段からの信号により、駆動手段54の動作を制御する機能としては、計時手段からの信号により、例えば夜間などの販売規制時間帯であるか否かを判断して駆動手段を動作させる機能、および、計時手段からの信号により、販売動作の無い状態が所定の時間以上継続したか否かを判断して駆動手段を動作させる機能を有している。
【００３３】
さらに、制御部71は、販売動作がなく、人体の接近も検知されない状態が所定時間以上継続されると、商品見本保持部材28を表示部開放位置に回動させて表示部32の開放し、また、人体検知手段76で人体の接近が検知されると、商品見本保持部材28を商品見本展示位置に回動させて商品見本30に展示させる機能を有している。この人体検知制御機能の有効、無効は、リモコン端末75で任意に設定できる。
【００３４】
次に、本実施の形態の作用を説明する。
【００３５】
自動販売機の販売待機時には、図１(a)に示すように、商品見本30の商品見本表示面50が商品見本展示部24の正面を向く商品見本展示位置に位置される。この状態では、複数の商品見本30で表示部32は隠れるが、利用者により商品見本30をみて購入したい商品の選択ができる。
【００３６】
自動販売機の非販売待機時には、図１(b)に示すように、各商品見本保持部材28の長手方向に対応する縦軸を中心に略９０度回動して、商品見本30の商品見本表示面50が商品見本展示部24の側面を向く表示部開放位置に位置される。この状態では、商品見本30で表示部32を遮る割合が販売待機時に比べて小さくなるので、表示部32の略全体が視認できる状態となる。
【００３７】
そして、図６のフローチャートを参照して、制御部71の制御による自動販売機の駆動手段54の動作制御を説明する。なお、人体検知制御機能は無効な状態とする。
【００３８】
例えば夜間などの販売規制時間帯か確認し（ステップ１）、販売規制時間帯であれば、非販売待機時とし、商品見本保持部材28および商品見本30を表示部開放位置に回動させる（ステップ２）。
【００３９】
販売規制時間帯でないときは、販売待機時とし、商品見本保持部材28および商品見本30を商品見本展示位置に回動させ（ステップ３）、タイマｔ1の計時を開始し（ステップ４）、販売動作に待機する（ステップ５）。
【００４０】
販売動作（貨幣の挿入、テンキー押下など）が予め設定された所定時間Ｔ1内にあれば（ステップ６）、今までのタイマｔ1の計時をクリアして新たに開始する。
【００４１】
販売動作（貨幣の挿入、テンキー押下など）が予め設定された所定時間Ｔ1以上ないときは、非販売待機時とし、商品見本保持部材28および商品見本30を表示部開放位置に回動させ（ステップ７）、タイマｔ2の計時を開始し（ステップ８）、貨幣の投入に待機する（ステップ９）。
【００４２】
貨幣の挿入が予め設定された所定時間内Ｔ2にあれば、ステップ３に戻って、即座に販売待機時に移行する。
【００４３】
貨幣の挿入が予め設定された所定時間内Ｔ2以上ないときは、すなわち、非販売待機時が所定時間Ｔ2以上継続されれば、ステップ１に戻って、次の処理をする。
【００４４】
以上のように、商品見本30を扁平形状とし、その商品見本30を保持する商品見本保持部材28の回動により、商品見本30の大きな面が商品見本展示部24の正面側に向く状態から商品見本30の小さな面が商品見本展示部24の正面側に向く状態に回動させることができるので、商品見本展示部24の内面を表示部32として利用しても、商品見本30で表示部32を遮る割合を少なくでき、表示部32の視認性を向上できるとともに、商品見本30自体が回動することで注目を集めやすく、訴求効果を向上できる。
【００４５】
商品見本保持部材28を長尺形状に形成するとともにその長手方向を軸として回動可能とするので、商品見本保持部材28の回動に必要なスペースを小さくでき、商品見本展示部24を小形にできる。
【００４６】
商品見本展示部24の領域外に集約して商品を選択するキー部34を含む操作部21を配置したので、商品見本展示部24を広くとることができ、訴求効果を向上できる。
【００４７】
制御部71が、計時手段からの信号により、駆動手段54の動作を制御するので、時間に対応して商品見本30の展示と表示部32の表示とを様々に切り換えることができる。例えば、制御部71が、計時手段からの信号により、夜間などの販売規制時間帯であるか否かを判断して駆動手段54を動作させるので、販売規制時間帯に対応して商品見本30を展示でき、販売機会の喪失や不便性を解消できる。または、制御部71が、計時手段からの信号により、販売動作の無い状態が所定の時間以上継続したか否かを判断して駆動手段54を動作させるので、利用状況に対応して商品見本30を展示でき、販売機会の喪失や不便性を解消できる。
【００４８】
また、人体検知制御機能を有効にすることにより、販売規制時間帯以外の時間帯において、販売動作がなく、人体の接近も検知されない状態が所定時間以上継続されると、商品見本保持部材28を表示部開放位置に回動させて表示部32の開放し、また、人体検知手段76で自動販売機の正面領域への人体の接近が検知されると、商品見本保持部材28を商品見本展示位置に回動させて商品見本30に展示させる。これにより、利用状況に対応して商品見本30を展示でき、販売機会の喪失や不便性を解消できる。
【００４９】
なお、商品見本保持部材28は、略水平方向に配設し、略水平軸を中心に回動するようにしても同様の作用効果が得られる。また、商品見本保持部材28、略垂直軸または略水平軸を中心に回動した後、商品見本展示部24の一側や両側、または上下に移動するようにしてもよい。
【００５０】
商品見本30は、板状に限らず、９０度回動したとき、正面視の面積が減少する扁平形状であればよく、たばこなどの扁平箱形の形状であれば、実際の商品と同形状の商品見本を用いることもできる。
【００５１】
商品見本保持部材28は、棒状、線状、シート状など、略９０度回動したときに表示部32が視認しやすくなる形状であればよい。
【００５２】
表示部32は、ポスタを貼り付ける以外に、広告などを印刷したり、液晶ディスプレイなどにより任意の画像を表示することもできる。
【００５３】
なお、商品見本保持部材28に形成する係止孔43は任意の位置に開孔してもよい。また、商品見本30は両面接着テープなどで商品見本保持部材28に対して任意の位置に貼り付けたり、商品見本30の見本シールを商品見本保持部材28に直接貼り付けてもよい。これらにより、商品見本30は、図１に示すようなマトリックス状とは異なる自由なレイアウトが可能となる。
【００５４】
駆動手段54のワイヤ60を撓みの少ない剛性のあるもの、例えばリンクとすれば、一側の駆動機構55のモータ56のみを有していれば、他側の駆動機構55のモータは省略できる。
【００５５】
【発明の効果】
請求項１記載の自動販売機によれば、商品見本を扁平形状とし、その商品見本を保持する透明な材料で形成された商品見本保持部材の回動により、商品見本の大きな面が商品見本展示部の正面側に向く商品見本展示位置から商品見本の小さな面が商品見本展示部の正面側に向く表示部開放位置に回動させることができるので、商品見本展示部の内面であって商品見本保持部材より後方の面を表示部として利用しても、商品見本で表示部を遮る割合を少なくでき、表示部の視認性を向上できるとともに、商品見本自体が回動することで注目を集めやすく、訴求効果を向上できる。
【００５６】
請求項２記載の自動販売機によれば、請求項１記載の自動販売機の効果に加えて、商品見本保持部材は、表示部開放位置に回動した後、表品見本展示部の一側、または両側、または上下に移動することができる。
【図面の簡単な説明】
【図１】  本発明の自動販売機の一実施の形態を示し、(a)は自動販売機の販売待機時の正面図、(b)は自動販売機の非販売時の正面図である。
【図２】  同上自動販売機の正面図である。
【図３】  同上自動販売機の商品見本保持部材を示し、(a)は斜視図、(b)は斜め上方から見る側面図である。
【図４】  同上自動販売機の商品見本保持部材および駆動手段の斜視図である。
【図５】  同上自動販売機のブロック図である。
【図６】  同上自動販売機の駆動手段の動作制御を説明するフローチャートである。
【符号の説明】
24    商品見本展示部
28    商品見本保持部材
30    商品見本
32    表示部
【図１】
0004610694.tif 000002
【図２】
0004610694.tif 000003
【図３】
0004610694.tif 000004
【図４】
0004610694.tif 000005
【図５】
0004610694.tif 000006
【図６】
0004610694.tif 000007